(57)【特許請求の範囲】
【請求項１】
コンクリート柱状体の外周面に接着樹脂を塗布し、この塗布された硬化前の接着樹脂の上から引張強度が大きい補強繊維シートを貼り付けて付着させるとともに、接着樹脂を前記補強繊維シートに含浸させることにより該補強繊維シートの表面に前記接着樹脂を浸出させ、
更に、前記浸出した前記接着樹脂の硬化前に前記補強シートの上から前記接着樹脂を上塗りして、更に前記補強繊維シートへの前記接着樹脂の含浸を確実にし、
前記接着樹脂が硬化する前に、前記補強繊維シートの上に貼紙防止用のシートを貼り付けること
をもって、前記接着樹脂の硬化時間内で前記コンクリート柱状体の補強が完了することを特徴とするコンクリート柱状体補強方法。
【請求項２】
前記補強繊維シートは、芳香性ポリアラミド繊維で形成されていることを特徴とする請求項１記載のコンクリート柱状体補強方法。
【請求項３】
前記貼紙防止用のシートは、表面に凹凸が形成されている合成樹脂で形成されているとともに、紫外線透過防止機能も有することを特徴とする請求項１記載のコンクリート柱状体補強方法。
【発明の詳細な説明】
【０００１】
【発明の属する技術分野】
本発明は、電柱、杭などのコンクリート柱状体を補強するコンクリート柱状体補強方法に関する。
【０００２】
【従来の技術】
電柱などのコンクリート柱状体を補強する従来の方法について図２を参照して説明する。図２（ａ）に示すように、地面７に下端部を埋設されて固定されているコンクリート柱状体１の円で囲む基端部を補強するために、図２（ｂ）に円内に拡大して示すように、まずコンクリート柱状体１の外周面に接着樹脂３を塗布し、この塗布された接着樹脂３の上から鉄筋コンクリートよりも引張強度が大きい芳香性ポリアラミド繊維（アラミド繊維）などからなる補強繊維シート２を巻回して付着させる。なお、このように接着樹脂３の上から補強繊維シート２を巻回すると、接着樹脂３が補強繊維シート２に含浸するとともに、補強繊維シート２の表面にも浸出してくる。
【０００３】
そこで、次に、この接着樹脂３が硬化するまでの間に、補強繊維シート２に含浸して、その表面に浸出してきた接着樹脂３にごみ等が付着したり、または人の服などにくっ付くことを防止するために、図２（ｃ）に示すように、補強繊維シート２の上に合成樹脂フィルム４を貼り付けて覆うようにしている。
【０００４】
それから、このように合成樹脂フィルム４を貼り付けた後、接着樹脂３が硬化するのを待ち、接着樹脂３が硬化した後、合成樹脂フィルム４を剥がす。なお、接着樹脂３が硬化するには、例えば約８時間必要である。
【０００５】
このように接着樹脂３が硬化して、合成樹脂フィルム４を剥がすと、その下側で硬化した接着樹脂３の含浸した補強繊維シート２は両者一体となり、ＦＲＰ（強化プラスチック）状になっているが、このＦＲＰ状物の表面に赤外線透過防止対策として図２（ｄ）に示すように塗料５を塗布する。
【０００６】
塗料５を塗布した後は、この塗料５が乾燥するのを例えば翌日以降まで待ち、塗料５が完全に乾燥した後、この塗料５の上に図２（ｅ）に示すように貼紙防止用の合成樹脂シート６を貼り付け、これによりコンクリート柱状体１の補強作業を完成している。なお、合成樹脂シート６は、例えば周辺の第三者がコンクリート柱状体１にポスターなどの貼紙などをすることを防止するように表面が凹凸に形成されているものであるが、紫外線透過防止機能も有しているものである。
【０００７】
【発明が解決しようとする課題】
上述した従来のコンクリート柱状体１の補強方法では、接着樹脂３が硬化するのを待ってから、合成樹脂フィルム４を剥がし、それから塗料５を塗布し、更に塗料５が乾燥するのを待ってから、合成樹脂シート６を貼り付けているが、まず接着樹脂３が硬化するまでに８時間程度待つ必要があり、更に塗料５が乾燥するまでに時間がかかるため、最後に合成樹脂シート６を貼り付けて、コンクリート柱状体の補強作業が完成するまでに、数日という非常に長い時間を要し、一日で終わらず、何日にもわたって現場に出かけて、作業を行う必要があり、非常に非効率的であり、非経済的であるという問題がある。
【０００８】
また、上述したように、塗料５を塗布した塗装面は均一でないため、その表面の均一化を図るため、塗装表面の凹凸を削り取る作業も更に必要であり、非常に非効率的であった。
【０００９】
更に、従来の方法では、接着樹脂３の含浸した補強繊維シート２上に貼り付けた合成樹脂フィルム４を剥がすという無駄な作業があるが、このような剥がすという作業が無駄であるばかりでなく、剥がした合成樹脂フィルム４を始末するごみの問題もある。
【００１０】
本発明は、上記に鑑みてなされたもので、その目的とするところは、接着樹脂の硬化を待つ必要もなく、更に塗料を必要とせずに、非常に短時間で効率的かつ経済的にコンクリート柱状体の補強を行い得るコンクリート柱状体補強方法を提供することにある。
【００１１】
【課題を解決するための手段】
上記目的を達成するため、請求項１記載の本発明は、コンクリート柱状体の外周面に接着樹脂を塗布し、この塗布された硬化前の接着樹脂の上から引張強度が大きい補強繊維シートを貼り付けて付着させるとともに、接着樹脂を前記補強繊維シートに含浸させることにより該補強繊維シートの表面に前記接着樹脂を浸出させ、更に、前記浸出した前記接着樹脂の硬化前に前記補強シートの上から前記接着樹脂を上塗りして、更に前記補強繊維シートへの前記接着樹脂の含浸を確実にし、前記接着樹脂が硬化する前に、前記補強繊維シートの上に貼紙防止用のシートを貼り付けることをもって、前記接着樹脂の硬化時間内で前記コンクリート柱状体の補強が完了することを要旨とする。
【００１２】
請求項１記載の本発明にあっては、コンクリート柱状体の外周面に接着樹脂を塗布し、この接着樹脂の上から引張強度が大きい補強繊維シートを貼り付けて付着させるとともに、接着樹脂を補強繊維シートに含浸させ、接着樹脂が硬化する前に、補強繊維シートの上に更に接着樹脂を上塗りして、貼紙防止用のシートを貼り付けるため、従来に比較して、補強繊維シートへの接着樹脂の含浸を確実にでき、また、実質的作業時間を大幅に短縮でき、作業の効率化および経済化を図ることができるとともに、長期間にわたる十分な補強性能も得られ、更に貼紙防止も完全である。
【００１３】
また、請求項２記載の本発明は、請求項１記載の発明において、前記補強繊維シートが、芳香性ポリアラミド繊維で形成されていることを要旨とする。
【００１４】
請求項２記載の本発明にあっては、補強繊維シートは芳香性ポリアラミド繊維で形成され、十分な補強性能を得ることができる。
【００１５】
更に、請求項３記載の本発明は、請求項１記載の発明において、前記貼紙防止用のシートが、表面に凹凸が形成されている合成樹脂で形成されているとともに、紫外線透過防止機能も有することを要旨とする。
【００１６】
請求項３記載の本発明にあっては、貼紙防止用のシートは表面に凹凸が形成されている合成樹脂で形成されているとともに、紫外線透過防止機能を有するため、コンクリート柱状体への貼紙を適確に防止することができるとともに、紫外線透過も適確に防止することができる。
【００１７】
【発明の実施の形態】
以下、図面を用いて本発明の実施の形態を説明する。図１は、本発明の一実施形態に係るコンクリート柱状体補強方法を説明するための図である。この実施形態のコンクリート柱状体補強方法では、図１（ａ）に示すように、地面７に埋設されて固定されている例えば直径約４０ｃｍ、高さ１６ｍの鉄筋コンクリート製の電柱などであるコンクリート柱状体１の根本から約２．５ｍ上部の円で囲む基端部を補強するために、図１（ｂ）に円内に拡大して示すように、まずコンクリート柱状体１の外周面に例えばエポキシ系の接着樹脂３を塗布し、この塗布された接着樹脂３の上から鉄筋コンクリートよりも引張強度が大きい芳香性ポリアラミド繊維（アラミド繊維）などからなる補強繊維シート２を例えば２層に貼り付けて付着させる。なお、このように接着樹脂３の上から補強繊維シート２を貼り付けると、接着樹脂３が補強繊維シート２に含浸して、補強繊維シート２の表面にも浸出してくるが、本実施形態では更に補強繊維シート２の上から接着樹脂３を上塗りして、更に補強繊維シート２への接着樹脂３の含浸を確実にする。
【００１８】
このように補強繊維シート２からなる２層の補強層を形成した後、接着樹脂３が硬化する前に、図１（ｃ）に示すように、接着樹脂３が含浸した補強繊維シート２の上に樹脂などからなる合成樹脂シート６を貼り付けて、本実施形態の実質的作業を終了する。なお、この合成樹脂シート６は、紫外線透過防止および貼紙防止機能を有するものであり、その表面には凹凸が形成されていて、この凹凸により例えばポスターなどの貼紙を貼り付けることができないようになっている。仮に、貼紙を貼ったとしても、合成樹脂シート６の凹凸によりすぐに剥がれてしまうようになっている。
【００１９】
上述したように、接着樹脂３が含浸した補強繊維シート２の上に合成樹脂シート６を貼り付けるまでの作業で本実施形態のコンクリート柱状体補強方法の実質的作業は完了し、後は単に接着樹脂３が硬化するのを自然にまかせればよいものであるが、ここまでに実質的に要する作業時間は例えば３時間程度というように非常に短い時間であり、従来のように接着樹脂が硬化するまでの待ち時間と塗料が乾燥するまでの待ち時間を含んで例えば数日という長い時間を必要とすることなく、作業を非常に短時間で効率的に完了することができるとともに、また接着樹脂３が含浸した補強繊維シート２の上に合成樹脂シート６を貼り付けることにより、接着樹脂３が十分に硬化した後は、補強部分は完全にＦＲＰ化し、長期間にわたって十分な補強性能を有していることがわかった。
【００２０】
なお、上記実施形態では、コンクリート柱状体１の基端部に本実施形態のコンクリート柱状体補強方法を施している場合について説明したが、本発明はこれに限定されるものでないことは勿論のことである。また、コンクリート柱状体１は円形である必要はなく、任意の形状のものでよいものである。
【００２１】
【発明の効果】
以上説明したように、本発明によれば、コンクリート柱状体の外周面に接着樹脂を塗布し、この接着樹脂の上から引張強度が大きい補強繊維シートを貼り付けて付着させるとともに、接着樹脂を補強繊維シートに含浸させ、接着樹脂が硬化する前に、補強繊維シートの上に更に接着樹脂を上塗りして、貼紙防止用のシートを貼り付けるので、従来に比較して、補強繊維シートへの接着樹脂の含浸を確実にでき、また、実質的に作業時間を大幅に短縮でき、作業の効率化および経済化を図ることができるとともに、長期間にわたる十分な補強性能も得られ、更に貼紙防止も完全である。
【００２２】
また、本発明によれば、貼紙防止用のシートは表面に凹凸が形成されている合成樹脂で形成されているとともに、紫外線透過防止機能を有するので、コンクリート柱状体への貼紙などを適確に防止することができ、仮に貼紙などが貼られたとしてもすぐに剥がれてしまうとともに、また紫外線透過も適確に防止することができ、長期間にわたる補強効果を得ることができる。
【図面の簡単な説明】
【図１】本発明の一実施形態に係るコンクリート柱状体補強方法を説明するための図である。
【図２】従来のコンクリート柱状体補強方法を説明するための図である。
【符号の説明】
１  コンクリート柱状体
２  補強繊維シート
３  接着樹脂
６  合成樹脂シート
【図１】
0003571317.tif 000002
【図２】
0003571317.tif 000003